(57)【要約】      （修正有）【課題】車両に搭載される車両アクセサリ装置、および特に車両が自律モードで作動するときに向上した制御性を備える、改良された車両を提供する。【解決手段】車両アクセサリ装置（２）を備える車両（４）であって、車両アクセサリ装置は車両（４）に搭載される作業機器（６）を含む。車両アクセサリ装置（２）は、現在位置データ、例えばＧＰＳデータ、および前記作業機器（６）を備えた前記車両（４）の作業任務のためのルートデータを含む作業任務データ、を受信するように構成される。アクセサリ制御ユニット（８）は、アクセサリ装置（２）が搭載される車両（４）の制御特性を含む車両データセットが提供される。【選択図】図２
2020192972.tif 000002
【特許請求の範囲】
【請求項１】
車両アクセサリ装置（２）を備える車両（４）であって、作業機器（６）を含む車両アクセサリ装置が車両（４）に搭載され、車両は、
−車両通信バス（１６）と、
−車両制御ユニット（１７）であって、前記車両通信バス（１６）を介して前記車両の様々な動作ユニットに適用される制御コマンドを決定するように、および前記制御コマンドに応じて動作するように前記ユニットを制御するように、構成された車両制御ユニット（１７）と、
を備え、
車両アクセサリ装置（２）は、
−アクセサリ制御ユニット（８）であって、アクセサリ制御信号（１０）を決定するように、および前記信号によって前記作業機器（６）を制御するように、構成されたアクセサリ制御ユニット（８）と、
−アクセサリ通信バス（１２）であって、前記アクセサリ通信バス（１２）を前記車両通信バス（１６）に接続するように構成されたバスインターフェース（１４）を備えるアクセサリ通信バス（１２）と、
を備え、
前記車両アクセサリ装置（２）は、無線信号受信機（１８）を備え、前記無線信号受信機（１８）は、現在位置データ、および前記作業機器（６）を備えた前記車両（４）の作業任務のためのルートデータを含む作業任務データ、を受信するように、および前記受信した位置データおよび作業任務データを前記アクセサリ制御ユニット（８）に利用可能にするように、構成され、前記アクセサリ制御ユニット（８）には、アクセサリ装置（２）が搭載される車両（４）の制御特性を含む車両データセットが提供され、
前記アクセサリ制御ユニット（８）は、
−ナビゲーションおよび駆動制御コマンドであって、前記車両アクセサリ装置（２）が設けられた前記車両（４）を制御して、自律モードで動作するように、および作業任務のルートに沿って移動するように、適合されている、ナビゲーションおよび駆動制御コマンド、
−作業制御コマンドであって、前記作業機器（６）によって実行される作業手順がサポートされるように前記車両（４）を制御するように適合された作業制御コマンド、
を決定するように構成され、
前記ナビゲーションおよび駆動制御コマンドおよび前記作業制御コマンドは、前記制御特性に基づいて決定され、
車両制御ユニット（１７）は、自律動作モードを含む動作モードのセットの中から前記車両（４）の動作モードを決定するように構成され、前記車両（４）が自律動作モードにあると決定された場合、前記車両制御ユニット（１７）は、前記作業任務を果たすように、前記アクセサリ制御ユニット（８）が、前記ナビゲーションおよび駆動コマンドおよび前記作業制御コマンドによって、前記車両（４）を制御することを可能にするように、構成されることを特徴とする、車両（４）。
【請求項２】
請求項１に記載の車両（４）であって、動作モードは、前記車両の様々な動作パラメータを表す複数の受信されたセンサ信号に関連するモード決定ルールのセットを適用することによって、または、オペレータによって生成される受信されたモード変更信号に応じて、決定される、車両（４）。
【請求項３】
請求項１または２に記載の車両（４）であって、前記制御特性は、アクチュエータの特定の特徴、車両の形状、制御パラメータ、自律運転パラメータ、および自律モードで前記車両を動作させるのに必要な他のパラメータ、のうちの少なくとも１つを含む、車両（４）。
【請求項４】
請求項１から３のいずれか１項に記載の車両（４）であって、前記ナビゲーションおよび駆動制御コマンドおよび前記作業制御コマンドは、前記受信された制御特性に基づく変換アルゴリズムを適用することによって決定される、車両（４）。
【請求項５】
請求項１から４のいずれか１項に記載の車両（４）であって、前記アクセサリ制御ユニット（８）は、実行された作業任務に応じて、前記制御特性を動的に更新するように構成される、車両（４）。
【請求項６】
請求項１から５のいずれか１項に記載の車両（４）であって、前記アクセサリ制御ユニット（８）は、前記車両データセットを、外部制御センターから前記無線信号受信機を介して、またはアクセサリ装置が搭載されている車両から前記アクセサリ通信バスを介して、受信するように構成される、車両（４）。
【請求項７】
請求項１から６のいずれか１項に記載の車両（４）であって、前記アクセサリ制御ユニット（８）は、前記ナビゲーションおよび駆動コマンドおよび前記作業制御コマンドによって、前記コマンドを前記アクセサリ通信バス（１２）および前記バスインターフェース（１４）を介して前記車両通信バス（１６）に適用することによって、前記車両（４）を制御するように構成される、車両（４）。
【請求項８】
請求項１から７のいずれか１項に記載の車両（４）であって、前記作業任務は、積み込みまたは積み降ろし手順、林業機械手順、テールリフト手順、フックリフト手順、採掘手順、のうちの１つに関連する作業手順を含み、前記ルートデータは、作業手順に関連するルートをたどるために必要な位置データを含む、車両（４）。
【請求項９】
車両アクセサリ装置（２）を備える車両（４）に関する方法であって、作業機器（６）を含む車両アクセサリ装置が車両（４）に搭載され、車両は、
−車両通信バス（１６）と、
−車両制御ユニット（１７）であって、前記車両通信バス（１６）を介して前記車両の様々な動作ユニットに適用される制御コマンドを決定するように、および前記制御コマンドに応じて動作するように前記ユニットを制御するように、構成された車両制御ユニット（１７）と、
を備え、
車両アクセサリ装置（２）は、
−アクセサリ制御ユニット（８）であって、アクセサリ制御信号（１０）を決定するように、および前記信号によって前記作業機器（６）を制御するように、構成されたアクセサリ制御ユニット（８）と、
−アクセサリ通信バス（１２）であって、前記アクセサリ通信バス（１２）を前記車両通信バス（１６）に接続するように構成されたバスインターフェース（１４）を備えるアクセサリ通信バス（１２）と、
を備え、前記方法は、
Ａ‐現在位置データと、前記作業機器（６）が設けられた前記車両（４）の作業任務のためのルートデータを含む作業任務データと、を受信すること、および前記受信した位置データと作業任務データとを前記アクセサリ制御ユニット（８）に利用可能にすること；
Ｂ−アクセサリ装置（２）が搭載される車両（４）の制御特性を含む車両データセットを、前記アクセサリ制御ユニット（８）に提供すること、
Ｃ‐自律モードで動作するように、および作業任務のルートに沿って進むように、前記車両アクセサリ装置（２）が設けられた前記車両（４）を制御するように適合されたナビゲーションおよび駆動制御コマンドを決定し、前記作業機器（６）によって実行される作業手順がサポートされるように、前記車両（２）を制御するように適合された作業制御コマンドを決定し、前記ナビゲーションおよび駆動制御コマンドおよび前記作業制御コマンドは、前記制御特性に基づいて決定されること；および
Ｄ‐自律動作モードを含む動作モードのセットの中から前記車両（４）の動作モードを決定すること、および、前記車両（４）が自律動作モードにあると決定された場合、前記アクセサリ制御ユニット（８）が、前記ナビゲーションおよび駆動コマンドおよび前記作業制御コマンドによって、前記作業任務を果たすように、前記車両（４）を制御できるようにすること、
を含むことを特徴とする、方法。
【請求項１０】
請求項９に記載の方法であって、ステップＤで、前記車両の様々な動作パラメータを表す複数の受信されたセンサ信号に関連するモード決定ルールのセットを適用することによって、または、オペレータによって生成される受信されたモード変更信号に応じて、動作モードを決定することを含む、方法。
【請求項１１】
請求項９または１０に記載の方法であって、前記ナビゲーションおよび駆動制御コマンドおよび前記作業制御コマンドを、前記受信された制御特性に基づく変換アルゴリズムを適用することによって決定することを含む、方法。
【請求項１２】
請求項９から１１のいずれか１項に記載の方法であって、実行された作業任務に応じて、前記制御特性を動的に更新することを含む、方法。
【請求項１３】
請求項９から１２のいずれか１項に記載の方法であって、無線信号受信機（１８）を介して外部制御センター（２０）から、または前記アクセサリ通信バス（１２）を介してアクセサリ装置（２）が搭載されている車両（４）から、前記車両データセットを受信することを含む、方法。
【請求項１４】
請求項９から１３のいずれか１項に記載の方法であって、前記ナビゲーションおよび駆動コマンドおよび前記作業制御コマンドによって、前記コマンドを前記アクセサリ通信バス（１２）および前記バスインターフェース（１４）を介して前記車両通信バス（１６）に適用することによって、前記車両（４）を制御することを含む、方法。
【発明の詳細な説明】
【技術分野】
【０００１】
本開示は、一般に、車両に搭載されるアクセサリ装置を備える車両、およびそれに関連する方法に関する。アクセサリ装置は、作業機器、例えばフックリフト装置、を備える。
【背景技術】
【０００２】
車両には、車両に搭載されるアクセサリ装置、例えば作業機器、を設けることができる。その車両は、例えば、貨物や物品の輸送に使用されるトラックなどの、貨物運搬車によって例示される。貨物や商品は、例えば、容器、平坦なラック、または交換可能なパレットなどのポータブルコンパートメント上に置かれるか、またはその中に包装されてもよい。ポータブルコンパートメントは、輸送用作業機器によって車両の本体に積み込まれ、ハル（ｈｕｌｌ）から地面に降ろされる。積み込まれる貨物に対する、または貨物が降ろされる位置に対する、車両の位置は、積み降ろし中の作業機器の性能にとって重要である。積み降ろし中に車両や作業機器を安全に操作するには、熟練したドライバーが必要である。そのような作業機器の例は、フックリフト、スキップローダー、デマウンタブルおよびローダークレーンである。フックリフトは、例えば、フックを容器または平坦なラックのバーに係合させ、次に平坦なラックまたは容器をトラック上に持ち上げるおよび／または引っ張ることによって、平坦なラックまたは容器をトラック上に積み込むのに使用される。
【０００３】
トラックメーカーが、主にアクチュエータと制御システムを備えたトラックシャーシを開発および販売していることは、よく知られている。これらのシャーシ（トラック）は、顧客によって入手され、様々な目的で使用される。これらの目的に応じて、その目的を実現するように設計された追加の作業機器がシャーシフレームに取り付けられる。これらのアクセサリは、トラックメーカーとは異なる企業によって開発および市販されることが多い。これらの企業は、異なる仕様、例えば、寸法およびシャーシの制御システムおよび電力供給システムへの接続、を考慮して、異なるメーカーのシャーシに適合するアクセサリを設計している。
【０００４】
上述したように、広く使用されている貨物運搬アクセサリの１つは、フックリフト装置である。フックリフト装置のメーカーは、製造された装置が、異なる車両メーカーによる車両のシャーシに搭載されるのに適するようにしなければならない。
【０００５】
貨物運搬車は、公道上で物品を輸送するのに使用されるだけでなく、専用の目的、例えば、プロセス産業内、で使用されてもよく、１つの典型的な例では、プロセス制御システムは、充填されたホッパを輸送し、それを空の容器と交換するために、トラックの運転手に任務を送る。アクセサリ装置を備えた車両の他の具体的な実施環境の１つは、閉鎖された鉱区であり、そこで、岩石を動かすために自律的に移動する車両、例えばトラック、を使用し、鉱山制御センターによって割り当てられた職務に従って動作することが知られている。作業任務では、情報は、車両に無線で送信され、その情報は、例えば、ルートを運転するための方向を含むルートに関するデータと、例えば、ルートの終点でコンテナを積み込むための命令とを含む。
【０００６】
一般に、自律車両は、その環境を感知することができ、人間の入力をほとんどまたは全く伴わずに移動することができる、車両である。自律車両は、レーダー、コンピュータビジョン、ライダー、ソナー、ＧＰＳ、走行距離計、慣性測定ユニットなどの、周囲を知覚する様々なセンサを組み合わせる。高度な制御システムは、感覚情報を解釈して、適切なナビゲーションパス、ならびに障害物および関連する標識を識別する。様々なセンサを備え、また全ての必要な安全基準を満たすように設定された自律車両は、複雑で高度な、そして高価な制御システムを必要とする。
【０００７】
車両には、以前から、様々な装置の接続、異なる装置間のデータおよび機能の共有、ならびにデジタルデータネットワークの独立した制御を可能にする通信バス（例えば、いわゆるＣＡＮバス）に基づく分散制御システムが設けられてきた。
【０００８】
以下では、自律車両の様々な態様を開示するいくつかの先行技術文献を簡潔に論じる。
【０００９】
特許文献１は、車両の自動制御機能を含む自動モードを実施することができる車両ナビゲーション制御インターフェースを提供するシステムに関する。
特許文献２は、異なる車両を制御する制御モジュールに関連する。
特許文献３は、車両の異なるシステムを制御する各種コントローラを含む自律車両プラットフォームを開示している。
【００１０】
トラックメーカーは、多くの異なる方法で、それらのシャーシおよびそれらのモデルを技術的に別個に構築してきた。特に、シャーシ制御とアクチュエータの違いにより、同じタイプの自律ナビゲーションやリモートコントロールを異なるシャーシに接続することが困難になる。特に、シャーシメーカー以外の人が、自律ナビゲーションやリモートコントロールの機能を備えた様々なシャーシを提供する場合に問題である。例えば、現在知られているシステムまたは装置は、アクセサリメーカーに、アクセサリと連動して様々なトラックシャーシに自律および／または遠隔制御式の荷重取扱および輸送ソリューションを提供する便利な方法を提供していない。
【００１１】
異なるシャーシの自律駆動機能に関する前述の問題は、例えば、シャーシの機械的構造（例えば、旋回半径に影響を与える）および、前輪を旋回させるアクチュエータが受け取る動作制御の応答時間が、シャーシの型、シャーシブランド、シャーシモデル、または個々のシャーシユニットによってさえ変わり得る場合に、ナビゲーション・コンピュータからのルートを進むために、車両のアクチュエータに与えられるコマンドを生成する方法に関連している。とりわけ、これらの要因は、シャーシに特有のモデルであり、メーカーによって異なり得る。また、エンジン、トランスミッション、ブレーキは、基本は同じであるが、モデルやメーカーによって詳細な実装が異なる場合があるので、自律的に運転するときに、加速、ブレーキ、およびギアシフトのルートを決定する際に、差異が考慮されるべきである。
【００１２】
従って、シャーシには、異なる機能および使用を可能にする基礎構造が装備されてきたが、異なるシャーシの解決策は、上記の理由から、アクセサリのメーカーにとって自律的使用のための実装が困難な場合がある。
【００１３】
多くの解決策が、現在知られている技術に従って提示および適用されてきたが、技術分野には依然として課題が残っている。本発明の目的は、車両に搭載される車両アクセサリ装置、および特に車両が自律モードで作動するときに向上した制御性を備える、改良された車両を実現することである。
【先行技術文献】
【特許文献】
【００１４】
【特許文献１】ＵＳ２０１４／０１８８３２４
【特許文献２】ＵＳ２０１７／００２８９９４
【特許文献３】ＵＳ２０１７／０１６０７４５
【発明の概要】
【課題を解決するための手段】
【００１５】
上述の目的は、独立請求項に従って本発明によって達成される、または少なくとも軽減される。
【００１６】
好ましい実施形態は、従属請求項に記載されている。
【００１７】
本発明の発明者は、場合によっては、車両からアクセサリ装置にインテリジェンスを移動させることが有利であると気付いた。本明細書では、インテリジェンスとは、自律モードで動作させるために、アクセサリ装置を備えた車両を制御するのに必要な複雑な制御を、意味する。これにより、車両は、アクセサリ装置が目的とする用途に適合した、改良された、従って高価な制御能力を備える必要がない。
【００１８】
結果として、本発明によるアクセサリ装置を含む車両では、アクセサリ装置の制御ユニットは、車両を制御することができ、自律モードで作動させることができるであろう。これは、アクセサリ装置が、それ自体が自律モード制御の能力を備えていない車両に搭載される場合に、特に有利である。
【００１９】
車両の制御を達成するために、アクセサリ装置の制御ユニットには、車両の制御特性を含む車両データセットが提供されている。車両の動作モードが決定され、自律モードで車両を運転すべきであると決定された場合、アクセサリ装置の制御ユニットは、車両を制御すること、および自律モードで動作するように車両を制御することが可能になる。
【００２０】
本発明のさらなる利点は、アクセサリ装置が、車両を制御することに加えて、作業機器を制御していることである。従って、アクセサリ装置は、例えば作業機器と車両の両方の移動を同期および協働させる必要がある作業任務を達成するために、車両と作業機器を同時に制御し得る。
【００２１】
本発明のさらなる利点は、車両と作業機器の両方に対するアクセサリ装置の制御能力が、アクセサリ装置に取り付けられた作業機器に関連する作業任務の種類の実行に適合され得ることである。
【図面の簡単な説明】
【００２２】
【図１】本発明による車両を概略的に示すブロック図である。
【図２】本発明による車両の実施形態を概略的に示すブロック図である。
【図３】本発明による方法を示すフローチャートである。
【発明を実施するための形態】
【００２３】
ここで、添付の図面を参照して、車両を詳細に説明する。図面を通して、同一または類似のアイテムは、同一の参照符号を有する。さらに、アイテムおよび図面は、必ずしも正確な縮尺ではなく、それよりむしろ、本発明の原理を示すことに重点が置かれている。
【００２４】
まず、図１および図２の概略図を参照し、本発明は、車両４に搭載される車両アクセサリ装置２を備える車両４に関する。車両は、好ましくは、作業車両であり、例えば、貨物車両、トラック、または林業車両である。車両は、自律車両、または半自律車両であってもよい。半自律車両は、運転者がある程度まで車両の動作に関与する車両であり、例えば、運転者は、インターフェース、例えばグラフィカルユーザインターフェース、を介して、またはコンピュータ生成聴覚もしくは触覚命令を介して、操作命令を受け取る。
【００２５】
車両は、車両通信バス１６、車両制御ユニット１７を備え、車両制御ユニット１７は、車両通信バス１６を介して車両の様々な動作ユニット、例えばエンジン、ブレーキシステム、ステアリングシステム等、に適用される制御コマンドを決定するように、および制御コマンドに応じて動作するようにユニットを制御するように、構成されている。
【００２６】
アクセサリ装置２は、作業機器６と、アクセサリ制御ユニット８であって、アクセサリ制御信号１０を決定するように、および前記の信号によって作業機器６を制御するように、構成されたアクセサリ制御ユニット８と、アクセサリ通信バス１２であって、アクセサリ通信バス１２を車両通信バス１６に接続するように構成されたバスインターフェース１４を備えるアクセサリ通信バス１２と、を備える。
【００２７】
各通信バスは、共通のデータバス、例えばＣＡＮバス、であり、それは、例えばセンサおよび制御信号を含む双方向通信を実行するように構成される。バスおよびトラック用の車載ネットワーク用のＳＡＥＪ１９３９などのアプリケーション層プロトコルを通信にさらに使用することができるように、ＣＡＮに基づくさらなるプロトコルを適用することができる。代替として、ブローダーリーチ（ＢｒｏａｄＲ‐Ｒｅａｃｈ）などの、イーサネット（登録商標）および類似の規格に基づく様々なプロトコルを使用してもよい。システムの異なる部分では、様々な通信プロトコルを使用してもよい。
【００２８】
図２では、作業機器６は、フックリフトによって例示されているが、例えば、積み降ろし機器、林業機械、テールリフト、クレーン、ローダークレーン、または採掘装置であってもよい。車両は、車両のシャーシとして概略的に示され、それは、車両に取り付けられ、車両通信バスからの信号を介して制御可能な様々な制御ユニットを備えた、アクセサリ装置を有することができる任意のタイプの車両であってよい。アクセサリ通信バスも車両通信バスも、仮想無線通信バスによって実現されてもよい。
【００２９】
図２では、エンジン噴射ポンプ弁２８を備えたエンジン２６と、ステアリングホイール３０を含む手動駆動制御ユニットと、パワーステアリングユニット３２と、アクセルペダルと、ブレーキペダルと、シャーシ制御ユニット３８と、を備えるトラックシャーシ４が概略的に示されている。シャーシ制御ユニット３８は、手動駆動制御ユニットのアナログ動作を、デジタル動作制御コマンドに変換し、デジタル動作制御コマンドは、車両通信バス１５を通って、制御シリンダ弁３４、ブレーキ弁３６およびエンジン噴射ポンプ弁２８などのアクチュエータまで通過する。車両制御ユニット１７は、車両の上述の様々な動作ユニットに適用される制御コマンドを決定するように構成された一般的な制御ユニットである。車両制御ユニット１７は、車両の全体的な動作に必要な様々な動作パラメータを決定するのに必要な処理能力も備えている。車両４の図示されたアイテムは、単に例示的なものであり、車両を完全に制御して作動させるために、さらに多くのアクチュエータ、センサ、および制御ユニットがオプションとして設けられている。図２は、明確さのために、例えば通信バスから様々なユニットへの制御ラインが図示されていない、概略図であることに留意されたい。さらに、本発明は、当然、１つまたは多くの電気駆動式エンジンを備えたバッテリ駆動式車両にも適用可能である。
【００３０】
アクセサリ装置２は、無線信号受信機１８を備え、無線信号受信機１８は、現在位置データ、例えばＧＰＳデータ、および作業機器６を備えた車両４の作業任務のためのルートデータを含む作業任務データ、を受信し、受信した位置データおよび作業任務データをアクセサリ制御ユニット８に利用可能にするように構成されている。作業任務データは、例えば、積み降ろされる対象物（例えば、貨物、物品、ポータブルコンパートメント）の仕様、およびこれらの対象物の位置および向きを含むことができる。
【００３１】
受信した位置データは、ＧＰＳデータまたは任意の同等の位置データであってもよい。車両が、例えば坑内での、地下使用を意図している場合、位置データは、車両が移動しているルートに沿った固定位置に取り付けられた位置アンテナによって生成することができる。また、位置アンテナは、大規模な貯蔵施設で適用されることもある。
【００３２】
アクセサリ制御ユニット８は、アクセサリ装置が搭載される車両の制御特性を含む車両データセットを受け取るように構成されている。一般に、特定の車両データセットは、特定の車両に関する様々な制御特性に関連し、例えばデータベースにまたはテーブルにまとめられた、データの集合である。様々な制御特性は、動的に更新され得る。
【００３３】
アクセサリ制御ユニット８は、
‐ナビゲーションおよび駆動制御コマンドであって、車両アクセサリ装置２が設けられた車両４を制御して自律モードで動作するように、および作業任務のルートに沿って移動するように、適合されている、ナビゲーションおよび駆動制御コマンド、
‐作業制御コマンドであって、作業機器６によって実行される作業手順がサポートされるように車両４を制御するように適合された作業制御コマンド、
を決定するように構成される。
【００３４】
一例として、作業制御コマンドは、車両に積載されるポータブルコンパートメントに関連して車両の位置および向きを調整するために、生成されてもよい。作業制御コマンドの別の例は、作業機器が実行している積み込みまたは積み降ろし手順を容易にするために、作業機器がポータブルコンパートメントと相互作用している間に、車両を移動させるコマンドであってもよい。
【００３５】
ナビゲーションおよび駆動制御コマンドおよび作業制御コマンドは、制御特性に基づいて決定される。
【００３６】
アクセサリ制御ユニット８は、決定されたナビゲーションおよび駆動コマンドおよび作業制御コマンドによって、車両アクセサリ装置２が設けられた車両４を制御して、自律モードで動作されているときに作業任務を実行するように構成されている。
【００３７】
車両制御ユニット１７は、自律動作モードを含む動作モードのセットの中から車両４の動作モードを決定するように構成される。車両４が自律動作モードにあると決定された場合、車両制御ユニット１７は、作業任務を果たすように、アクセサリ制御ユニット８が、ナビゲーションおよび駆動コマンドおよび作業制御コマンドによって、車両４を制御することを可能にするように、構成される。
【００３８】
動作モードのセットは、少なくとも通常動作モードおよび自律動作モードを含む。他の動作モードは、緊急状態が検出された場合に有効となる緊急モード、または車両の１つまたは多くのシステムがシャットダウンされるスリープモードであってもよい。
【００３９】
通常動作モードでは、車両制御ユニット１７は、アクセサリ装置を含む車両の全体制御を有するように構成される。通常動作モードは、車両が開始点Ａから目的地点Ｂに移動しているときに適用可能であってもよく、一方、自律モードは、車両が地点Ｂに近づくときに、および例えば地点Ｂでの積み込みおよび／または積み降ろし手順中に、始動されてもよい。
【００４０】
一実施形態によれば、動作モードは、車両の様々な動作パラメータを表す複数の受信されたセンサ信号に関連するモード決定ルールのセットを適用することによって、決定される。
【００４１】
１つのモード決定ルールは、例えば、自律モードが、速度が所定の値よりも低い場合にのみ適用され得ることを提示する、車両の速度に関連してもよい。
【００４２】
別の決定ルールは、車両の周囲の物体の検出に関連してもよい。その場合、自律モードは、物体が車両から所定の距離よりも近くにない場合にのみ適用されてもよい。
【００４３】
さらに別の決定ルールは、車両が、特定の作業タスク、例えば、積み込み／積み降ろしが実行されるべき作業領域に接近することに関連してもよい。そのようなルールを適用するときに、車両の位置を、考慮に入れてもよく、積み込まれる物体を認識するために車両に搭載された例えばカメラからの画像情報を分析してもよい。
【００４４】
また、車両の動作モードは、オペレータによって生成される受信されたモード変更信号に応じて決定されてもよい。これは、車両が自律モードで動作するように設定されているが、車両が進行中の作業タスクを終わらせることを必要とする緊急事態が発生した場合に、適用し得る。
【００４５】
自律モードへの変更が行われてはならないと決定された場合、車両制御ユニットは、現在適用されているモードに従って、または特定の状況に適合された別の動作モードで、車両を動作し続けるであろう。
【００４６】
一実施形態によると、制御特性は、次のパラメータのうちの少なくとも１つを含む：アクチュエータの特定の特徴、車両の形状、制御パラメータ、自律運転パラメータ、および自律モードで車両４を動作させるのに必要な他のパラメータ。車両の形状は、車両の長さおよび幅およびホイールベース長を含んでもよい。
【００４７】
別の実施形態によると、ナビゲーションおよび駆動制御コマンドおよび作業制御コマンドは、受信された制御特性に基づく変換アルゴリズムを適用することによって決定される。
【００４８】
変換アルゴリズムは、車両の様々な制御ユニットがアクセサリ制御ユニットによって生成された制御コマンドを正しく解釈できるように、駆動および作業制御コマンドへの割り当てを実現するのに必要な車両の動きを変換する、転送する、および／または適合させる。
【００４９】
特定の車両に関連する変換アルゴリズムは、好ましくは、特定の車両に関連する車両データセットに含まれる。従って、特定の変換アルゴリズムは、好ましくは、特定の車両の車両データセットの制御特性のそれぞれに指定され、例えば、車両データセットは、車両のステアリング角の制御に関連する変換アルゴリズムを含む。
【００５０】
好ましくは、アクセサリ制御ユニット８は、実行された作業任務に応じて、制御特性を動的に更新するように構成される。適用された制御信号を結果として生じる動作と比較および解析することによって、作業任務中に結果として生じるパフォーマンスが考慮されるフィードバック手順を実施することによって、制御の精度を向上させる学習プロセスが適用される。また、変換アルゴリズムは、動的に更新されてもよい。
【００５１】
車両が狭い空間を移動するためには、車両の位置の連続したリアルタイムフィードバックが重要である。これは、１つの運転活動、例えば、特定のステアリング角だけ車両を旋回させることが、地面の摩擦に関わりなく、すなわち、地面が滑りやすく凍結している場合に、または地面が乾燥している場合に、異なる旋回半径をもたらし得るという点で、重要である。
【００５２】
車両データセットは、多くの異なる方法に従って受信および検索されてもよい。一実施形態によると、アクセサリ制御ユニット８は、車両データセットを、外部制御センター２０から無線信号受信機１８を介して、またはアクセサリ装置２が取り付けられている車両４からアクセサリ通信バス１２を介して、受信するように構成される。
【００５３】
アクセサリ制御ユニット８は、ナビゲーションおよび駆動コマンドおよび作業制御コマンドによって、コマンドをアクセサリ通信バス１２およびバスインターフェース１４を介して車両通信バス１６に適用することによって、車両を制御するように構成される。１つの変形例では、アクセサリ制御ユニット８は、代わりに、ナビゲーションおよび駆動コマンドおよび作業制御コマンドによって、コマンドのサブセットを、アクセサリ通信バス１２を介して制御される車両の１つまたは多くの様々なユニットに直接適用することによって、車両を制御するように構成される。直接制御され得るユニットは、車両の速度、ブレーキおよびステアリングに関係してもよい。１つの例示的な変形例では、車両のギアボックスおよびサスペンションシステムは、通信バス１６を介して制御され、車両の速度、ブレーキ、およびステアリングは、アクセサリ通信バス１２を介して直接制御される。
【００５４】
作業任務は、複数の異なる動作分野に関連することができ、以下の例示的な手順、すなわち、積み込みまたは積み降ろし手順、林業機械手順、テールリフト手順、フックリフト手順、採掘手順、のうちの１つに関連する作業手順を含むことができる。適用ルートデータは、作業手順に関連するルートをたどるために必要な位置データを含む。１つの特定の動作分野は、多くの車両が同時に作動することが多い屋内または屋外の大規模な貯蔵施設である。
【００５５】
本発明は、車両４に搭載される車両アクセサリ装置２を備える車両４に関する方法にも関する。その方法について、図３に示されるフローチャートを参照して説明する。車両４は、上記で詳細に説明されており、本明細書ではその説明も参照される。
【００５６】
従って、その方法は、車両４に搭載される、作業機器６を含む、車両アクセサリ装置２を備える。車両は、車両通信バス１６、車両制御ユニット１７を備え、車両制御ユニット１７は、車両通信バス１６を介して車両の様々な動作ユニット、例えばエンジン、ブレーキシステム、ステアリングシステム等、に適用される制御コマンドを決定するように、および前記制御コマンドに応じて動作するようにユニットを制御するように、構成されている。
【００５７】
車両アクセサリ装置２は、アクセサリ制御ユニット８であって、アクセサリ制御信号１０を決定するように、および前記の信号によって作業機器６を制御するように、構成されたアクセサリ制御ユニット８と、アクセサリ通信バス１２であって、前記アクセサリ通信バス１２を前記車両通信バス１６に接続するように構成されたバスインターフェース１４を備えるアクセサリ通信バス１２と、を備える。
【００５８】
その方法は以下を含む。
Ａ‐現在位置データ、例えばＧＰＳデータと、作業機器６が設けられた車両４の作業任務のためのルートデータを含む作業任務データと、を受信し、受信した位置データと作業任務データとをアクセサリ制御ユニット８に利用可能にすること。
Ｂ‐アクセサリ装置２が搭載される車両４の制御特性を含む車両データセットを、アクセサリ制御ユニット８に提供すること。
Ｃ‐自律モードで動作するように、および作業任務のルートに沿って進むように、車両アクセサリ装置２が設けられた車両４を制御するように適合されたナビゲーションおよび駆動制御コマンドを決定し、前記の作業機器６によって実行される作業手順がサポートされるように、前記の車両２を制御するように適合された作業制御コマンドを決定し、前記のナビゲーションおよび駆動制御コマンドおよび前記の作業制御コマンドは、前記の制御特性に基づいて決定されること。
Ｄ‐自律動作モードを含む動作モードのセットの中から前記の車両４の動作モードを決定すること。車両４が自律動作モードにあると決定された場合、アクセサリ制御ユニット８が、ナビゲーションおよび駆動コマンドおよび作業制御コマンドによって、作業任務を果たすように、車両４を制御できるようにする。
【００５９】
動作モードのセットは、少なくとも通常動作モードおよび自律動作モードを含む。他の動作モードは、緊急状態が検出された場合に有効となる緊急モード、または車両の１つまたは多くのシステムがシャットダウンされるスリープモードであってもよい。
【００６０】
通常動作モードでは、車両制御ユニット１７は、アクセサリ装置を含む車両の全体制御を有するように構成される。通常動作モードは、車両が開始点Ａから目的地点Ｂに移動しているときに適用可能であってもよく、一方、自律モードは、車両が地点Ｂに近づくときに、および例えば地点Ｂでの積み込みおよび／または積み降ろし手順中に、始動されてもよい。
【００６１】
自律モードへの変更が行われてはならないと決定された場合、車両は、車両制御ユニットは、現在適用されているモードに従って、または特定の状況に適合された別の動作モードで、動作し続けるであろう。
【００６２】
一実施形態によれば、その方法は、前記の受信した制御特性に基づく変換アルゴリズムを適用することによって、ナビゲーションおよび駆動制御コマンドおよび作業制御コマンドを決定することを含む。
【００６３】
さらなる実施形態では、その方法は、実行された作業任務に応じて、制御特性、好ましくは関連する変換アルゴリズムも、動的に更新することを含む。
【００６４】
さらに別の実施形態によれば、その方法は、無線信号受信機１８を介して外部制御センター２０から、またはアクセサリ通信バス１２を介してアクセサリ装置２が搭載されている車両４から、車両データセットを受信することを含む。
【００６５】
本明細書に開示されるアクセサリ装置が設けられる車両の典型的な適用の１つは、車両が商品を配達する自律トラックである、閉鎖された工場エリア内である。そのような用途では、トラックは、多くの他の車両が移動する状況に対処するために、狭い空間で移動するように、また、人間がそのような環境にいる可能性があるので高い安全基準を満たすようにも、構成されなければならない。他の用途では、車両は、鉱業、林業で使用されるが、様々な他の状況、例えば、貨物積み込みおよび積み降ろし、ごみの箱を収集するおよび空にするなど、でも使用される。
【００６６】
本発明は、上記の好ましい実施形態に限定されるものではない。様々な代替、修正、および均等物が用いられてよい。従って、上記の実施形態は、添付の「特許請求の範囲」によって定義される本発明の範囲を限定するものと解釈されるべきではない。
【図１】
2020192972.tif 000003
【図２】
2020192972.tif 000004
【図３】
2020192972.tif 000005
【外国語明細書】
2020192972000001.pdf